(57)【要約】【課題】  製品版プログラムまたは評価版プログラムの切り換えを容易に行うことができ、しかも、評価版動作を確認させることのできるプロジェクターを提供する。【解決手段】  メイン制御部３は、プロジェクター１の電源がＯＮされる際に、操作部１０の操作キーの操作情報に基づいて所定の操作キーが押下されたか否かを判断し、操作キーが押下された場合には評価版プログラムによる評価版動作を行うとともに、操作キーが押下されていない場合には製品版プログラムによる製品版動作を行うように制御する。【選択図】      図１
2011217308.tif 000002
【特許請求の範囲】
【請求項１】
入力された画像情報に基づいて、投写部を介して画像を投写するプロジェクターであって、
各種制御を統括して行うメイン制御部と、
操作キーの操作情報が入力される操作部と、を備え、
前記メイン制御部は、前記プロジェクターの電源がＯＮされる際に、前記操作キーの操作情報に基づいて、所定の前記操作キーが押下されたか否かを判断し、所定の前記操作キーが押下された場合には、評価版プログラムによる評価版動作を行うとともに、所定の前記操作キーが押下されていない場合には、製品版プログラムによる製品版動作を行うように制御することを特徴とするプロジェクター。
【請求項２】
前記操作部からの操作情報が入力されるサブ制御部をさらに備え、前記サブ制御部は、前記操作キーが押下された場合の操作情報を前記メイン制御部に出力することを特徴とする請求項１に記載のプロジェクター。
【請求項３】
前記メイン制御部からの指示に基づいてファンを駆動制御するファン駆動部をさらに備え、
前記メイン制御部は、前記評価版プログラムによる評価版動作を行う場合に、前記ファン駆動部に、前記ファンを前記製品版プログラムによる製品版動作における前記ファンの回転数より高速で回転させる指示を出力することを特徴とする請求項１または請求項２に記載のプロジェクター。
【請求項４】
入力された画像情報に基づいて画像を投写するプロジェクターを動作させるプログラムを切り換えるプロジェクターのプログラム切換方法であって、
メイン制御部は、前記プロジェクターの電源がＯＮされる際に、操作キーの操作情報に基づいて、所定の前記操作キーが押下されたか否かを判断し、
前記メイン制御部は、所定の前記操作キーが押下されたと判断した場合には、評価版プログラムによる評価版動作を行うとともに、所定の前記操作キーが押下されていないと判断した場合には、製品版プログラムによる製品版動作を行う
ことを特徴とするプロジェクターのプログラム切換方法。
【請求項５】
前記操作キーの操作情報が入力されるサブ制御部により、前記操作キーが押下された場合の操作情報を前記メイン制御部に出力することを特徴とする、請求項４に記載のプロジェクターのプログラム切換方法。
【請求項６】
前記メイン制御部は、前記評価版プログラムによる評価版動作を行う場合に、ファン駆動部に、ファンを前記製品版プログラムによる製品版動作における前記ファンの回転数より高速で回転させるように指示を出力することを特徴とする、請求項４または請求項５に記載のプロジェクターのプログラム切換方法。
【発明の詳細な説明】
【技術分野】
【０００１】
本発明はプロジェクターおよびプロジェクターのプログラム切換方法に係り、特に、製品版プログラムまたは評価版プログラムの切り換えを容易に行うことができ、しかも、評価版動作を確認させることを可能としたプロジェクターおよびプロジェクターのプログラム切換方法に関するものである。
【背景技術】
【０００２】
一般に、プロジェクターにおいては、プロジェクターを駆動制御するための製品版プログラムが格納されているが、プロジェクターの製造工程などにおいて、通常の製品版プログラムとは異なるプログラムにより動作させたい要求がある。
【０００３】
そのため、従来から、プロジェクターの製造工程においては、製造用ファームウェアをＥＰＲＯＭに記憶させておき、製造過程時において製品の検査を行うとともに、検査が終了したら、製品検査ユニットから製品用ファームウェアを送り、ＥＰＲＯＭに製造用ファームウェアの代わりに製品用ファームウェアを書き込むようにした技術が開示されている（例えば、特許文献１参照）。
【０００４】
また、その他の技術としては、例えば、運用系のファームウェアと予備系のファームウェアとの２系統のファームウェアをダウンロードして格納しておき、運用系のファームウェアに障害が発生したら、予備系のファームウェアに切り換えて動作させるようにした技術が開示されている（例えば、特許文献２参照）。
【先行技術文献】
【特許文献】
【０００５】
【特許文献１】特開平７−０７８０７７号公報
【特許文献２】特開２００７−３２３３９９号公報
【発明の概要】
【発明が解決しようとする課題】
【０００６】
しかしながら、前記特許文献１に記載の技術においては、工場での製造工程で、ＥＰＲＯＭに書き込まれた製造用ファームウェアを使用して検査を行った後、製品用ファームウェアに書き換えるものであるため、ファームウェアの書き換えを行うという作業が必要であり、極めて手間がかかるという問題を有している。さらに、製造用のファームウェアのまま出荷されてしまうといった不都合が生じる可能性もあるという問題をも有している。
【０００７】
また、前記特許文献２に記載の技術においては、２種類のファームウェアを格納するものであるが、各ファームウェアをダウンロードにより用意するものであるため、製造工程の途中で、通信機能を確保することができない場合には、ファームウェアを確保することができない場合があり、やはり使い勝手が悪いという問題を有している。
【０００８】
本発明は前記した点に鑑みてなされたものであり、製品版プログラムまたは評価版プログラムの切り換えを容易に行うことができ、しかも、評価版動作を確認させることのできるプロジェクターおよびプロジェクターのプログラム切換方法を提供することを目的とするものである。
【課題を解決するための手段】
【０００９】
前記目的を達成するために、本発明に係るプロジェクターは、入力された画像情報に基づいて、投写部を介して画像を投写するプロジェクターであって、各種制御を統括して行うメイン制御部と、操作キーの操作情報が入力される操作部と、を備え、前記メイン制御部は、前記プロジェクターの電源がＯＮされる際に、前記操作キーの操作情報に基づいて、所定の前記操作キーが押下されたか否かを判断し、所定の前記操作キーが押下された場合には、評価版プログラムによる評価版動作を行うとともに、所定の前記操作キーが押下されていない場合には、製品版プログラムによる製品版動作を行うように制御することを特徴とする。
【００１０】
本発明によれば、メイン制御部により、電源がＯＮされる際に、操作キーの操作情報に基づいて所定の操作キーが押下されたか否かを判断し、所定の操作キーが押下された場合には評価版プログラムによる評価版動作を行うとともに、所定の操作キーが押下されていない場合には製品版プログラムによる製品版動作を行うように制御するようにしているので、容易に評価版プログラムによる評価版動作を行わせることができ、しかも、所定の操作キーを押下しない状態では、製品版プログラムによる製品版動作を行うことができる。また、評価版プログラムによる評価版動作した場合でも、一度電源をＯＦＦにして再度所定の操作キーを押下せずに電源をＯＮにすれば、容易に製品版プログラムによる製品版動作を行わせることができる。
【００１１】
また、前記プロジェクターにおいて、前記操作部からの操作情報が入力されるサブ制御部をさらに備え、前記サブ制御部は、前記操作キーが押下された場合の操作情報を前記メイン制御部に出力することを特徴とする。
【００１２】
本発明によれば、サブ制御部により、操作キーが押下された場合の操作情報をメイン制御部に出力するようにしているので、サブ制御部からの操作情報に基づいて、メイン制御部により、評価版プログラムまたは製品版プログラムによる動作を行わせることができる。
【００１３】
また、前記プロジェクターにおいて、前記メイン制御部からの指示に基づいてファンを駆動制御するファン駆動部をさらに備え、前記メイン制御部は、前記評価版プログラムによる評価版動作を行う場合に、前記ファン駆動部に、前記ファンを前記製品版プログラムによる製品版動作における前記ファンの回転数より高速で回転させる指示を出力することを特徴とする。
【００１４】
本発明によれば、メイン制御部により、評価版プログラムによる評価版動作を行う場合に、ファン駆動部にファンを製品版プログラムによる製品版動作におけるファンの回転数より高速で回転させる指示を出力するようにしているので、評価版プログラムを起動した場合に、ファンが高速回転で動作され、評価版プログラムによる動作であると確認することができる。
【００１５】
また、プロジェクターのプログラム切換方法において、入力された画像情報に基づいて画像を投写するプロジェクターを動作させるプログラムを切り換えるプロジェクターのプログラム切換方法であって、メイン制御部は、前記プロジェクターの電源がＯＮされる際に、操作キーの操作情報に基づいて、所定の前記操作キーが押下されたか否かを判断し、、前記メイン制御部は、所定の前記操作キーが押下されたと判断した場合には、評価版プログラムによる評価版動作を行うとともに、所定の前記操作キーが押下されていないと判断した場合には、製品版プログラムによる製品版動作を行うことを特徴とする。
【００１６】
本発明によれば、メイン制御部により、プロジェクターの電源がＯＮされる際に、操作キーの操作情報に基づいて所定の操作キーが押下されたか否かを判断し、所定の操作キーが押下された場合には評価版プログラムによる評価版動作を行うとともに、所定の操作キーが押下されていない場合には製品版プログラムによる製品版動作を行うように制御するようにしているので、容易に評価版プログラムによる評価版動作を行わせることができ、しかも、所定の操作キーを押下しない状態では、製品版プログラムによる製品版動作を行うことができる。また、評価版プログラムによる評価版動作した場合でも、一度電源をＯＦＦにして再度所定の操作キーを押下せずに電源をＯＮにすれば、容易に製品版プログラムによる製品版動作を行わせることができる。
【００１７】
また、前記プロジェクターのプログラム切換方法において、前記操作キーの操作情報が入力されるサブ制御部により、前記操作キーが押下された場合の操作情報を前記メイン制御部に出力することを特徴とする。
【００１８】
本発明によれば、サブ制御部により、操作キーが押下された場合の操作情報をメイン制御部に出力するようにしているので、サブ制御部からの操作情報に基づいて、メイン制御部により、評価版プログラムまたは製品版プログラムによる動作を行わせることができる。
【００１９】
また、前記プロジェクターのプログラム切換方法において、前記メイン制御部は、前記評価版プログラムによる評価版動作を行う場合に、ファン駆動部に、ファンを前記製品版プログラムによる製品版動作における前記ファンの回転数より高速で回転させるように指示を出力することを特徴とする。
【００２０】
本発明によれば、メイン制御部により、評価版プログラムによる評価版動作を行う場合に、ファン駆動部にファンを製品版プログラムによる製品版動作におけるファンの回転数より高速で回転させる指示を出力するようにしているので、評価版プログラムを起動した場合に、ファンが高速回転で動作され、評価版プログラムによる動作であると確認することができる。
【図面の簡単な説明】
【００２１】
【図１】本発明に係るプロジェクターの第１実施形態を示す概略構成図である。
【図２】第１実施形態におけるプロジェクターのプログラム切換方法の動作を示すフローチャートである。
【図３】本発明に係るプロジェクターの第２実施形態を示す概略構成図である。
【図４】第２実施形態におけるプロジェクターのプログラム切換方法の動作を示すフローチャートである。
【発明を実施するための形態】
【００２２】
以下、本発明の実施の形態について図面を参照しながら説明する。
【００２３】
図１は、本発明に係るプロジェクターの第１実施形態を示す概略構成図である。本実施形態においては、プロジェクター１は、例えば、パソコンや、ＤＶＤプレーヤー、ブルーレイディスクプレーヤーなどから送られる画像情報が入力される画像情報処理部２を備えており、画像情報処理部２は、入力された画像情報に基づいて、拡大・縮小処理、画質調整処理、台形補正処理などの所定の画像処理を行うように構成されている。また、画像情報処理部２には、各種制御を統括して行うメイン制御部３が接続されており、メイン制御部３には、メイン記憶部４が接続されている。メイン記憶部４には、製品版プログラムが格納されており、この製品版プログラムは、プロジェクター１を動作させる通常の制御を行うためのプログラムである。
【００２４】
さらに、画像情報処理部２には、画像情報処理部２から出力される画像情報に基づいて投写画像の制御を行う投写部５が接続されている。この投写部５には、図示しないが投写部５の制御により所定の画像を形成する液晶パネルが接続されるように構成されており、照明装置により液晶パネルを照明するとともに、液晶パネルを透過した透過光を投写光学系を介してスクリーン上に照射して所望の画像を投写することができるように構成されている。また、メイン制御部３には、ファン６の駆動制御を行うためのファン駆動部７が接続されている。
【００２５】
また、メイン制御部３には、サブ制御部８が接続されており、サブ制御部８には、サブ記憶部９が接続されている。サブ制御部８には、例えば、操作キーやリモコンなどによる操作情報、プロジェクターの電源をＯＮ、ＯＦＦする情報が入力される操作部１０が接続されており、サブ制御部８は、操作部１０から送られる操作情報をメイン制御部３に出力するように構成されている。なお、前述の各構成部材は、１つの制御基板として集積化されている。
【００２６】
また、本実施形態においては、メイン記憶部４には、さらに評価版プログラムも格納されており、この評価版プログラムは、例えば、プロジェクター１の高温警告、高温異常、ランプ点灯失敗、ランプ蓋開放異常、ファン６の異常、温度センサー異常などの警告・異常検知制御を行わないように構成されている。これは、評価版プログラムにより評価を行う場合、例えば、プロジェクター１の製造工程中に、制御基板にランプなどが接続されていない状態で、メイン制御部３やサブ制御部８を動作させる場合があり、このような状態で、メイン制御部３やサブ制御部８を動作させてしまうと、各種センサーなどの異常を検知することで、制御基板が正常に動作しなくなり、製造工程において評価が行えなくなってしまうためである。
【００２７】
また、本実施形態においては、操作キーの特定のキーを押しながらプロジェクター１の電源をＯＮにすると、サブ制御部８がメイン制御部３に対して操作キーの操作情報を出力するように構成されており、メイン制御部３は、サブ制御部８からの操作情報に基づいて、電源ＯＮと同時に操作キーが押下された場合には、評価版動作モードで動作する旨の指示があったと判断し、メイン記憶部４に格納された評価版プログラムに基づいて動作を行うように構成されている。一方、特定のキーを操作せずに、プロジェクター１の電源をＯＮにした場合には、サブ制御部８からは操作情報が出力されないので、メイン制御部３により、製品版動作モードで動作するものと判断し、メイン制御部３は、通常の製品版プログラムに基づいて動作を行うように構成されている。
【００２８】
次に、前述のプロジェクター１におけるプログラム切換方法について、図２に示すフローチャートを参照して説明する。
【００２９】
まず、プロジェクター１の電源がＯＮされたら（ステップＳ１）、サブ制御部８により、評価版動作モードを指示する操作キーが、電源ＯＮと同時に押下された否か判断し（ステップＳ２）、操作キーが電源ＯＮと同時に押下された場合には、サブ制御部８により操作キーの操作情報をメイン制御部３に出力する（ステップＳ３）。また、電源ＯＮと同時に操作キーが押下されていない場合には、キー操作の操作情報はメイン制御部３に出力されない。
【００３０】
メイン制御部３は、サブ制御部８から出力された操作情報に基づいて、電源ＯＮと同時に操作キーが押下された場合には、評価版動作モードで動作する旨の指示があったと判断し（ステップＳ４：ＹＥＳ）、評価版プログラムを起動させる（ステップＳ５）。そして、評価版プログラムが起動すると、警告・異常検知制御を行わないように機能が制限されるとともに、ファン駆動部７によりファン６を最高速回転で駆動させるように制御される（ステップＳ６）。
【００３１】
一方、メイン制御部３により、操作キーが押下されずに電源をＯＮにした場合には、サブ制御部８からは操作情報が出力されないので、メイン制御部３により、製品版動作モードで動作するものと判断し（ステップＳ４：ＮＯ）、メイン制御部３は、通常の製品版プログラムを起動させる（ステップＳ７）。
【００３２】
以上述べたように、本実施形態においては、操作キーを押下しながら電源をＯＮにすることにより、容易に評価版プログラムによる評価版動作を行わせることができ、しかも、操作キーを押下しない状態では、評価版プログラムが起動してしまうことがなく、製品版プログラムによる製品版動作を行うことができる。また、仮に、誤って評価版プログラムを起動した場合でも、ファン６が最高速回転で動作するように制御されるので、評価版プログラムによる動作であると確認することができる。さらに、一度電源をＯＦＦにして再度操作キーを押下せずに電源をＯＮにすれば、容易に製品版プログラムによる製品版動作を行わせることができる。
【００３３】
なお、前記実施形態においては、評価版プログラムをサブ記憶部９に格納するとともに、操作キーの操作情報をサブ制御部８からメイン制御部３に出力するようにしたが、サブ制御部８を省略し、メイン制御部３のみにより同様の制御をするように構成してもよい。この場合は、操作キーの操作情報がメイン制御部３に入力されるように構成され、メイン制御部３により、操作キーの押下と同時に電源がＯＮにされたか否かを判断するようにすればよい。
【００３４】
次に、本発明の第２実施形態について図３を参照して説明する。
【００３５】
図３に示すように、本実施形態においては、例えば、ディップスイッチなどにより、サブ記憶部９に動作モードの切換フラグ１１をもたせるように構成されている。例えば、ある特定のディップスイッチを「０」に設定した場合は、製品版動作モードで動作され、ディップスイッチを「１」に設定した場合は、評価版動作モードで動作されるように設定しておく。そして、本実施形態においては、メイン制御部３からの動作モードの取得指示に応じてサブ制御部８がサブ記憶部９の切換フラグ１１を取得し、その切換フラグ１１の動作モードをメイン制御部３に出力するように構成されている。
【００３６】
その他の構成は、前記第１実施形態と同様であるので、その説明を省略する。
【００３７】
次に、本実施形態におけるプログラム切換方法について、図４に示すフローチャートを参照して説明する。
【００３８】
まず、電源がＯＮされたら（ステップＳ１０）、サブ制御部８によりサブ記憶部９から切換フラグ１１を参照して動作モードを取得する。そして、動作モード情報をメイン制御部３に出力し（ステップＳ１１）、メイン制御部３は、動作モードが評価版動作モードか製品版動作モードかを判断する。
【００３９】
メイン制御部３により、評価版動作モードであると判断した場合は（ステップＳ１２：ＹＥＳ）、評価版プログラムを起動させ（ステップＳ１３）、評価版プログラムが起動すると、警告・異常検知制御を行わないように機能が制限されるとともに、ファン駆動部７によりファン６を最高速回転で駆動させるように制御される（ステップＳ１４）。
【００４０】
一方、メイン制御部３により、製品版動作モードであると判断した場合は（ステップＳ１２：ＮＯ）、通常の製品版プログラムを起動させて、通常の動作を行う（ステップＳ１５）。
【００４１】
以上述べたように、本実施形態においては、あらかじめサブ記憶部９に動作モードの切換フラグ１１をもたせ、メイン制御部３からの動作モードの取得指示に応じてサブ制御部８から切換フラグ１１の動作モードを出力して、メイン制御部３により、動作モードが評価版動作モードか製品版動作モードかを判断することができるようにしているので、容易に評価版プログラムによる評価版動作を行わせることができ、切換フラグ１１を変更するだけで、容易に製品版プログラムによる製品版動作を行うことができる。また、仮に、誤って評価版プログラムを起動した場合でも、ファン６が最高速回転で動作するように制御されるので、評価版プログラムによる動作であると確認することができる。
【００４２】
なお、前記実施形態においては、評価版プログラムをサブ記憶部９に格納するとともに、サブ制御部８から切換フラグ１１の動作モードをメイン制御部３に出力するようにしたが、サブ制御部８およびサブ記憶部９を省略し、メイン制御部３およびメイン記憶部４のみにより同様の制御をするように構成してもよい。この場合は、メイン記憶部４に切換フラグ１１を持たせておき、メイン制御部３により、メイン記憶部４の切換フラグ１１を読み込んで、この切換フラグ１１の動作モードに応じて評価版プログラムまたは製品版プログラムを起動させるようにすればよい。
【００４３】
また、本発明は前記実施形態に限定されるものではなく、本発明の趣旨に基づいて種々の変形が可能である。前記実施形態では、評価版プログラムによる評価版動作時に、ファンを最高速回転で駆動するように制御しているが、これに限らず、製品版プログラムによる製品版動作におけるファンの回転数より高速に回転させるように制御してもよい。この場合でも、通常の製品版動作時のファン回転数より高速でファンが回転するので、評価版プログラムによる動作であることが確認できる。
【符号の説明】
【００４４】
１  プロジェクター、  ２  画像情報処理部、  ３  メイン制御部、  ４  メイン記憶部、  ５  投写部、  ６  ファン、  ７  ファン駆動部、  ８  サブ制御部、  ９  サブ記憶部、  １０  操作部、  １１  切換フラグ
【図１】
2011217308.tif 000003
【図２】
2011217308.tif 000004
【図３】
2011217308.tif 000005
【図４】
2011217308.tif 000006